(57)【要約】【課題】大小異なった形状の照明器具に対応可能な基板を有する発光モジュールを提供する。【解決手段】複数の半導体発光素子１と、これらの半導体発光素子１が表面に実装された長方形の基板２と、基板２の一方の短辺には、第１の端子台４が備えられ、かつ基板２の他方の短辺には、第２の端子台５が備えられ、第１の端子台４と第２の端子台５は互いに嵌合するような対となる形状である発光モジュール１０において、基板２のいずれかの長辺には第３の端子台６があり、第３の端子台６は、長辺の中央より左右のどちらかに寄った位置に配置され、第３の端子台６は、第１の端子台４または第２の端子台５のうちいずれか近い方と同形状の端子台である発光モジュール１０である。【選択図】図１
2013206670.tif 000002
【特許請求の範囲】
【請求項１】
複数の半導体発光素子と、
これらの前記半導体発光素子が表面に実装された長方形の基板と、
前記基板の一方の短辺には、第１の端子台が備えられ、
かつ前記基板の他方の短辺には、第２の端子台が備えられ、
前記第１の端子台と前記第２の端子台は互いに嵌合するような対となる形状である発光モジュールにおいて、
前記基板のいずれかの長辺には第３の端子台があり、
前記第３の端子台は、長辺の中央より左右のどちらかに寄った位置に配置され、
前記第３の端子台は、前記第１の端子台または前記第２の端子台のうちいずれか近い方と同形状の端子台であることを特徴とする発光モジュール。
【請求項２】
請求項１記載の発光モジュールにおいて、
前記第１の端子台および前記第２の端子台は、同じ側の長辺からの距離が等しく、
前記第３の端子台と短辺の距離のうち短い方の距離は、
前記第１の端子台と前記同じ側の長辺からの距離と等しいことを特徴とする発光モジュール。
【請求項３】
請求項１〜２いずれか１項記載の発光モジュールにおいて、
前記発光モジュールに実装されている前記半導体発光素子の間隔が全て等しいことを特徴とする発光モジュール具。
【請求項４】
請求項１〜３いずれか１項記載の発光モジュールを用いた照明器具。
【発明の詳細な説明】
【技術分野】
【０００１】
本発明は、照明器具に用いる発光モジュールに関する。
【背景技術】
【０００２】
近年、国内・国外を通じ、省エネルギー化を促進する動きが目立っている。そのような中、照明器具においては、省エネルギー化を目指し、長寿命な発光ダイオード（ＬＥＤ：ＬｉｇｈｔＥｍｉｔｔｉｎｇ  Ｄｉｏｄｅ）を光源とした照明器具の市場が拡大している。
【０００３】
そこで、形状の異なる照明器具を提供するために、複数のＬＥＤが実装された基板を、複数枚用いることによって、照明器具の長さが変更可能な照明器具に用いる発光モジュールが提供されている（特許文献１）。
【先行技術文献】
【特許文献】
【０００４】
【特許文献１】特開２０１０−９８３０２号公報
【発明の概要】
【発明が解決しようとする課題】
【０００５】
しかしながら、上記特許文献１における発光モジュールは、長方形基板の短辺にそれぞれ接続コネクタを有している。すなわち、複数の基板を接続する際、短辺に設けられている接続コネクタ同士を接続することとなる。よって、発光モジュールを直線的に延長することのみ可能である。すなわち、このような構成であれば、発光モジュールの長さを延ばすことはできるが、直線的な形状以外に発光モジュールを並べることは出来ない。
【０００６】
そこで、本発明は、上記背景技術を鑑みてなされたものであり、発光モジュールの並べ方に自由度が広がることで、照明器具の形状を直線的なものだけでなく、略円状に発光モジュールを並べた照明器具を提供することが可能である。そのような照明器具に用いる発光モジュールを提供することである。
【課題を解決するための手段】
【０００７】
上記課題を解決するために本発明では、複数の半導体発光素子と、これらの前記半導体発光素子が表面に実装された長方形の基板と、前記基板の一方の短辺には、第１の端子台が備えられ、かつ前記基板の他方の短辺には、第２の端子台が備えられ、前記第１の端子台と前記第２の端子台は互いに嵌合するような対となる形状である発光モジュールにおいて、前記基板のいずれかの長辺には第３の端子台があり、前記第３の端子台は、長辺の中央より左右のどちらかに寄った位置に配置され、前記第３の端子台は、前記第１の端子台または前記第２の端子台のうちいずれか近い方と同形状の端子台である発光モジュールである。
【０００８】
また、前記発光モジュールにおいて、前記第１の端子台および前記第２の端子台は、同じ側の長辺からの距離が等しく、前記第３の端子台と短辺の距離のうち短い方の距離は、前記第１の端子台と前記同じ側の長辺からの距離と等しい発光モジュールであってもよい。
【０００９】
また、前記発光モジュールにおいて、前記発光モジュールに実装されている前記半導体発光素子の間隔が全て等しい発光モジュールであってもよい。
【発明の効果】
【００１０】
本発明によれば、半導体発光素子を設ける個々の基板に、少なくとも３個の端子台を設けることによって、任意の形状に発光モジュールを並べることが可能となり、照明器具の自由度に広がりを持たせるものである。
【図面の簡単な説明】
【００１１】
【図１】本発明の実施形態に用いる発光モジュールを上から見た平面図である。
【図２】本発明の実施形態における略円状に並べた発光モジュールを上から見た平面図である。
【図３】本発明の実施形態における直線状に並べた発光モジュールを上から見た平面図である。
【図４】本発明の実施形態における発光モジュールを用いた照明器具（シーリングライト）の断面図である。
【発明を実施するための形態】
【００１２】
実施形態では、図１を用いて発光モジュール１０について説明する。
【００１３】
発光モジュール１０は、複数の半導体発光素子１と、これらの半導体発光素子１が表面に実装された長方形の基板２を有している。
【００１４】
基板２は合成樹脂または金属のいずれであってもよく、金属の場合、絶縁層が形成され、当該絶縁層上に半導体発光素子１が設けられている。半導体発光素子１は熱に弱く、熱によって半導体発光素子１がダメージを受け、製品寿命が短くなる恐れがある。その点を踏まえ、基板２はヒートシンクの役割も付加するため、基板２と器具本体は直付けされていることも考えられる。半導体発光素子１としては、ＬＥＤ１もしくは有機ＥＬを用いることが可能である。本実施形態においては、半導体発光素子１としてＬＥＤ１を用いている。
【００１５】
このＬＥＤ１の実装間隔は全て等間隔になっている。等間隔になっていることによって、光ムラを防ぎ、より均一な照射光を提供することが可能となっている。また、基板２を複数枚接続した際の、他の基板２に実装されているＬＥＤ１も含め、全てのＬＥＤ１の実装間隔も均一になっていてもよい。
【００１６】
基板２は４辺を有しており、互いに向かい合う辺は平行かつ同じ長さになっている。また、互いに混ざり合う辺の長さは異なっている。すなわち、基板２の形状は長方形である。基板２の長辺のうち、どちらか一辺には端子台３が一つ設けられている。また、向かい合う短辺には、それぞれ端子台３が一つずつ設けられている。
【００１７】
それぞれの端子台３の位置関係を説明する。まず、長辺の縁に設けられている端子台３は第３の端子台６である。そして、短辺の縁にそれぞれ設けられている端子台３は、第１の端子台４と第２の端子台５である。端子台３が設けられる位置は、基板２と同構造をとった他の基板２と接続する際に、端子台３同士が互いに嵌合しあう位置に設けられていればよい。また、第３の端子台６は長辺の中央よりも左右どちらかにかたよった位置に設けられている。
【００１８】
図１には、第３の端子台６が、長辺の中央よりも第１の端子台４よりに設けられている場合を示す。第３の端子台６は、第１の端子台４または第２の端子台５のうちいずれか近い方と同形状の端子台３である必要がある。すなはち、本実施形態においては、第１の端子台４と第３の端子台６は同形状の端子台３である。第２の端子台５は第１の端子台４お
よび第３の端子台６とは異なる端子台３の形状である必要がある。
【００１９】
端子台３の形状は従来から汎用されているコネクタ形状であるため、詳細説明は割愛するが、例えば、オス端子とメス端子が互いに電気的・物理的に嵌合することができる形状である。この端子台３は、基板２を基板２の長手方向に引くことによって取りはずしが可能な構造であってもよい。
【００２０】
また、端子台３の詳細な設置位置を説明する。第１の端子台４および第２の端子台５は、いずれかの同じ長辺からの距離が等しくなる位置に設置されている。ここで、辺からの距離とは、端子台３から辺への垂線を下ろした長さをいう。また、第１の端子台４または第２の端子台５から同辺への短い方の距離をａとする。第３の端子台６の位置は、短辺からの距離がａとなる位置に設置されていてもよい。このような位置関係に端子台３を設けることによって、基板２を直線的、略円状に並べた際に、各辺または各角が一連に揃い外観が良くなる。
【００２１】
基板２を複数枚直線的に接続する際の接続方法を図２で示す。図２では２枚の基板２を用いているが、これは一例であり、これ以外にも直線的に接続可能である。基板２の接続枚数は供給電圧に関係することから、設計段階で決定される必要がある。図２のように２枚の基板２を直線的に接続する際は、基板２の端子台３を一つずつ利用することで接続可能である。オス端子台とメス端子台が嵌合する向きに設置する必要がある。
【００２２】
接続に使用しなかった端子台３は、電源部９と接続線７によって接続することで、給電端子としての活用が可能である。また、電源部９とは逆側にある端子台３は短絡する必要がある。短絡方法としては、コネクタ（図示せず）等を使い短絡させることが考えられる。それ以外にも、回路にスイッチ構造を設け、当該スイッチによって短絡することも考えられる。
【００２３】
直線的に複数枚の基板２を接続する際は、第１の端子台４と第２の端子台５を利用することで、基板２の接続枚数を増やすことができる。
【００２４】
図３は、基板２を複数枚、略円形に接続する際の接続方法を示す。図３では４枚の基板２を用いているが、これは一例であり、これ以外にも接続枚数を変更することが可能である。接続枚数を変更することで、照明器具の大小に対応することが可能である。基板２の接続枚数は供給電圧に関係することから、設計段階で決定される必要がある。
【００２５】
図３に示すような略円形に基板２を接続する際は、第３の端子台６と第２の端子台５を利用する。略円形の大きさを変更する際は、接続に使用しなかった第１の端子台４を使用する。そのことによって、縦方向、横方向に大きさを変更することが可能である。
【００２６】
略円形に基板２を並べた際も、上述同様、接続に使用しなかった端子台３を電源部９と接続線７によって接続することで給電端子としての活用が可能である。そして、給電端子と対になる端子台３はコネクタ等を用いて短絡されている。
【００２７】
なお、上述の基板２に実装されているＬＥＤ１は直列接続とするか、または並列接続とするか変更可能な構造であってもよい。変更方法としては、基板２上に変更スイッチ等を設け、設計時に選択ができるものであってもよい。このように変更可能なことによって、照明器具の設計に自由度が広がる。
【００２８】
図４は、発光モジュール１０を照明器具（シーリングライト）に収納した断面図である。本実施形態においては、このように発光モジュール１０は照明本体や照明カバー等で構
成される照明器具に収納されて使用される。
【００２９】
器具本体１６には電源部１３および発光モジュール１０が備えられており、器具取付け部１１によって天井面１２に設置されている。これらの詳細は、公知であることから詳細説明は割愛する。また、器具カバー１４は、発光モジュール１０を覆う大きさである。
【産業上の利用可能性】
【００３０】
本発明は、照明器具の大小変化に対応可能な発光モジュールを提供するものである。
【符号の説明】
【００３１】
１  半導体発光素子（ＬＥＤ）
２  基板
３  端子台
４  第１の端子台
５  第２の端子台
６  第３の端子台
７  接続線
９  電源部
１０  発光モジュール
１１  器具取付け部
１２  天井面
１３  電源部
１４  器具カバー
１６  器具本体
【図１】
2013206670.tif 000003
【図２】
2013206670.tif 000004
【図３】
2013206670.tif 000005
【図４】
2013206670.tif 000006